(57)【要約】      （修正有）【課題】レバーハンドルを下げることが出来ない様にすることで、施錠状態に出来るレバーハンドルのロック構造を提供する。【解決手段】モータ７の回転がウオームギア８を介してウオームホイール９に伝達され、ウオームホイール９が正逆回転すると、ロックレバー１０が上下に動くものであり、またロックプレート５の中心の角穴にレバーハンドル２１の角芯が挿入され、ロックプレート５とレバーハンドル２１は一体となって回転をする構造である。ベースプレート６の溝、サポートプレート４の溝にロックプレート５の溝が一致した状態のときに、ロックレバー１０が降下し、ロックレバー１０が降下した状態では、レバーハンドル２１を廻そうとしても、ロックレバー１０が阻止して、レバーハンドル２１は廻せなく、反対にロックレバー１０が上昇すると、レバーハンドル２１の回転阻止が解除されて、レバーハンドル２１を廻すことができる。【選択図】図１
2018111941.tif 000002
【特許請求の範囲】
【請求項１】
モータ７の回転がウオームギア８に伝達されて、ウオームギア８によりウオームホイール９に軸支されたロックレバースプリング１１が追従し、ロックレバースプリング１１のアーム先端部Ａにロックレバー１０のピン部Ｂが、根元部Ｃにウオームホイール９のピン部Ｄに挟まれた状態で支持されていて、ウオームホイール９が正逆回転すると、ロックレバー１０が上下に動くようなっており、ベースプレート６とサポートプレート４の間に挿入されているロックプレート５が中心の角穴Ｆにレバーハンドル２１の角芯Ｅが挿入され、ロックプレート５とレバーハンドル２１は一体となって回転をする構造であり、ベースプレート６の溝Ｇ１、サポートプレート４の溝Ｇ３にロックプレート５の溝Ｇ２が一致した状態のときに、ロックレバー１０が降下し、ロックレバー１０が降下した状態では、レバーハンドル２１を廻そうとしても、ロックレバー１０が阻止して、レバーハンドル２１は廻せないことを特徴とするレバーハンドルロック構造を有する錠前。
【請求項２】
レバーハンドルロック構造は、ロックレバー１０が上昇すると、レバーハンドル２１の回転阻止が解除されて、レバーハンドル２１は廻すことができることを特徴とする請求項１に記載のレバーハンドルロック構造を有する錠前。
【請求項３】
解錠状態において、人の手でレバーハンドル２１の操作中に、施錠信号を受けたとき、ウオームホイール９が反時計廻りに回転し、ロックレバー１０を降下させようとするが、ロックプレート５の溝Ｇ２に入らないために、ロックレバースプリング１１が開いて、ロックレバー１０のピン部Ｂとウオームホイール９のピン部Ｄの間、付勢力を持った状態となることを特徴とする請求項１或いは２に記載のレバーハンドルロック構造を有する錠前。
【請求項４】
施錠状態において、人の手でレバーハンドル２１に力を加えているときに、解錠信号を受けたとき、ウオームホイール９が時計廻りに回転し、ロックレバー１０を上昇させようとするが、ロックプレート５の溝Ｇ２にロックレバー１０が挟まれて上昇できないために、ロックレバースプリング１１が開いて、ロックレバー１０のピン部Ｂとウオームホイール９のピンＤの間、付勢力を持った状態となることを特徴とする。請求項１或いは請求項２に記載のレバーハンドルロック構造を有する錠前。
【請求項５】
施錠状態において、室内側より強制解錠を行う場合に、解除レバー２の下方向へのスライドによりギアケース１４を下方向へスライドさせると、ウオームギア８とウオームホイール９の噛合い（Ｍ）が外れた状態となり、この外れた状態では、ギアリターンスプリング１２のリターン力によりウオームホイール９が時計廻りに回転し、ロックレバー１０は、上昇して、解錠状態になることを特徴とする請求項１或いは２に記載のレバーハンドルロック構造を有する錠前。
【請求項６】
解除レバー２は、ユニットカバー３の表面で上下にスライドするように組み込まれていて、その先端アーム部Ｈがギアケース１４の穴Ｊに挿入されており、解除レバー２を下方向にスライドさせる（Ｋ）と、ギアケース１４が追従する（Ｌ）ように構成されていることを特徴とする請求項１乃至５のいずれか一項に記載のレバーハンドルロック構造を有する錠前。
【発明の詳細な説明】
【技術分野】
【０００１】
本発明は、既存錠前のレバーハンドル（ラッチ作動部）を遠隔操作により電気的に制御（ロック、解除）する装置に関し、そのようなロック構造を備えた錠前に関する。
【背景技術】
【０００２】
既存錠前は一般家庭で使われているレバーハンドル部とキーシリンダ部が付いている錠前を指し、一般玄関やオフイス等の鍵としても幅広く使用されており、一般的にカードリーダによる出入管理を行う場合は、その既存錠前を電気錠前（オートロック）に交換する必要がある。また、キーシリンダ部、又はサムターン部を電気シリンダに交換し制御するものもある。
【０００３】
遠隔操作で施錠させる為の方法として、デッドボルトを自動で施錠する方法が一般的であるが、キーシリンダ錠の場合、手動である為、デッドボルトの出し入れを自動にする必要があり、一般的には、サムターン部に電動装置を取付ける方法があるが、扉の改造等、手間を要した。
【０００４】
デッドボルトの施錠解錠を電動装置により行う方法では、扉の緩衝材の劣化等により建て付けが悪くなると、デッドボルトが引っ掛かり施錠解錠が出来ない場合がある。
【０００５】
デッドボルトを自動で出し入れする動作では大きなトルクが必要で消費電力が大きく、電池を使用した場合は寿命が短くなる為、容量の大きい高価な電池を使用するか、配線し電源供給をする必要があった。
【０００６】
人がレバーハンドルを操作中（操作途中）に施錠又は解錠信号を受けた場合、施錠又は解錠が行えずエラーとなってしまう。
【先行技術文献】
【特許文献】
【０００７】
【特許文献１】特開２０１６ー１６０４９７号公報
【発明の概要】
【発明が解決しようとする課題】
【０００８】
本発明の課題は、デッドボルトによる自動施錠が、人の手による施錠でない為、施錠できないトラブルが多いけれども、ラッチが扉を閉めれば、施錠されて、レバーハンドルを下げれば、ラッチが引込み、解錠される構造であることから、レバーハンドルを下げることが出来ない様にすることで、施錠状態に出来ることからレバーハンドルをロック構造とすることである。
【０００９】
本発明の他の課題は、レバーハンドルをロックする方法として、レバーハンドルの根元に設置されている丸座のスペースを利用して小型モータとロック部品によりレバーハンドルの回転を阻止する構造を設けることである。
【課題を解決するための手段】
【００１０】
本発明のレバーハンドルのロック構造は、モータ７の回転がウオームギア８に伝達されて、ウオームギア８によりウオームホイール９に軸支されたロックレバースプリング１１が追従し、ロックレバースプリング１１のアーム先端部Ａにロックレバー１０のピン部Ｂが、根元部Ｃにウオームホイール９のピン部Ｄに挟まれた状態で支持されていて、ウオームホイール９が正逆回転すると、ロックレバー１０が上下に動くものであり、ベースプレート６とサポートプレート４の間に挿入されているロックプレート５が中心の角穴Ｆにレバーハンドル２１の角芯Ｅが挿入され、ロックプレート５とレバーハンドル２１は一体となって回転をする構造であり、ベースプレート６の溝Ｇ１、サポートプレート４の溝Ｇ３にロックプレート５の溝Ｇ２が一致した状態のときに、ロックレバー１０が降下し、ロックレバー１０が降下した状態では、レバーハンドル２１を廻そうとしても、ロックレバー１０が阻止して、レバーハンドル２１は廻せなく、反対にロックレバー１０が上昇すると、レバーハンドル２１の回転阻止が解除されて、レバーハンドル２１は廻すことができることを特徴とする。
【００１１】
本発明のレバーハンドルロック構造は、解錠状態において、人の手でレバーハンドル２１の操作中に、施錠信号を受けたとき、ウオームホイール９が反時計廻りに回転し、ロックレバー１０を降下させようとするが、ロックプレート５の溝Ｇ２に入らないために、ロックレバースプリング１１が開いて、ロックレバー１０のピン部Ｂとウオームホイール９のピン部Ｄの間、付勢力を持った状態となることを特徴とする。
【００１２】
本発明のレバーハンドルロック構造は、施錠状態において、人の手でレバーハンドル２１に力を加えているときに、解錠信号を受けたとき、ウオームホイール９が時計廻りに回転し、ロックレバー１０を上昇させようとするがロックプレート５の溝Ｇ２にロックレバー１０が挟まれて上昇できないために、ロックレバースプリング１１が開いて、ロックレバー１０のピン部Ｂとウオームホイール９のピン部Ｄの間、付勢力を持った状態となることを特徴とする。
【００１３】
本発明のレバーハンドルロック構造は、施錠状態において、室内側より強制解錠を行う場合に、解除レバー２の下方向へのスライドによりギアケース１４を下方向へスライドさせると、ウオームギア８とウオームホイール９の噛合い（Ｍ）が外れた状態となり、この外れた状態では、ギアリターンスプリング１２のリターン力によりウオームホイール９が時計廻りに回転し、ロックレバー１０は、上昇して、解錠状態になることを特徴とする。
【００１４】
本発明のレバーハンドルロック構造は、解除レバー２が、ユニットカバー３の表面で上下にスライドするように組み込まれていて、その先端アーム部Ｈがギアケース１４の穴Ｊに挿入されており、解除レバー２を下方向にスライドさせる（Ｋ）と、ギアケース１４が追従する（Ｌ）ように構成されていることを特徴とする。
【発明の効果】
【００１５】
既存錠前のレバーハンドルを電気駆動によりロック解錠できる機構とし、遠隔操作で行うことができる。
【００１６】
錠前のキーシリンダ部は変更が不要のために、そのまま使用が可能である。
【００１７】
一般家庭やオフイスで使われている錠前のレバーハンドルの丸座部分を利用し、制御装置と組合せ、スマートフォン等で施錠解錠出来るために、非常に安価な出入管理装置を提供出来る。
【００１８】
小型モータ（直径１０ｍｍ程度）によるロックレバー操作によりレバーハンドルの回転を阻止するだけである為、場所を取らない。
【００１９】
吊り元違いに関係無く設置でき、扉の改造は要らない。
【００２０】
モータの駆動時間は０．０１ｓｅｃ程度で、ロック部材を上下に動かすだけであり、動作トルクも小さくて済む為、消費電力も少なく電池寿命は長い。
【００２１】
室内側から解除レバーでロック解除ができる為、構造も操作も簡単で防災上（脱出上）の問題も無い。
【００２２】
既存のオートロック錠と違い、戸当たり不良に伴う施錠解錠不具合が無い。
【００２３】
ロックレバー作動補助構造（ロックレバースプリング機構）である為、施錠解錠ミスが無い。
【００２４】
部材の使い勝手より、小型でありながら高い強度を有する構造である。
【図面の簡単な説明】
【００２５】
【図１】レバーハンドル取付け部に本発明の部品を取付ける為の分解斜視図を示す。
【図２】ロックレバーが上方にある状態を示す側面透過図と正面透過図である。
【図３】ロックレバーが下方にある状態を示す側面透過図と正面透過図である。
【図４】レバーハンドルとロックプレートの関係を示す斜視図である。
【図５】サポートプレート、ベースプレート、ロックプレートの関係を示す斜視透過図である。
【図６】ロックレバーの下降時の三つのプレートとロックレバーの関係の斜視透過図を示す。
【図７】ロックレバーの下降時の三つのプレートとロックレバーの関係を示す正面断面図を示す。
【図８】ロックレバーの上昇時の三つのプレートとロックレバーの関係を示す斜視透過図と正面透過図である。
【図９】ロックレバーの上昇時の三つのプレートとロックレバーの関係を示す正面透過図である。
【図１０】ロックレバーの操作を示す側面透過図と正面透過図である。
【図１１】ロックレバーの付勢力を持った状態を示す側面透過図と正面透過図である。
【図１２】ロックプレートの回転が阻止される状態を示す側面透過図と正面透過図である。
【図１３】ロックレバーの回転阻止状態を示す側面透過図と正面透過図である。
【図１４】ロックレバースプリングの付勢力を持った状態を示す側面透過図と正面透過図である。
【図１５】ロックレバーの施錠状態の解除を示す側面透過図と正面透過図である。
【図１６】レバーハンドルロック構造のロックレバーより上部の構成を示す右側面透過図である。
【図１７】レバーハンドルロック構造のロックレバーより上部の構成における解除レバーが下降した状態を示す右側面透過図である。
【図１８】ロックレバーが降下した状態を示す側面透過図と正面透過図である。
【図１９】ウオームギアとウオームホイールの噛合い（Ｍ）が外れた状態を示す側面透過図と正面透過図である。
【図２０】ロックレバーが上昇した解錠状態を示す側面透過図と正面透過図である。
【図２１】ロックレバーを下降するための待機状態を示す側面透過図と正面透過図である。
【図２２】レバーハンドルロックアッセンブリを扉に取付けた状態を示す斜視透過図である。
【図２３】レバーハンドルロックアッセンブリを扉に取付けた状態の正面透過図と側面透過図である。
【図２４】読取装置を扉に設置した状態を示す扉端面の正面図と斜視図である。
【図２５】モータ電源コネクタをレバーハンドルロックユニットのユニットカバーに取付けた状態を示す正面透過図と右側面透過図である。
【発明を実施するための形態】
【００２６】
次に、本発明のレバーハンドルロック構造を備えた錠前の実施例を説明する。まず最初に、実施例の構成を説明する。図１には、扉のレバーハンドル取付け部に本発明のレバーハンドルロックアッセンブリを取付けるための分解斜視図が示されている。扉２３の錠ケース２２には、室外側からレバーハンドル２１が丸座２４を介して取付けられ、室内側からレバーハンドル２５がレバーブッシュ１とユニットカバー３を介してレバーハンドルビス２６によって取付けられている。
【００２７】
サポートプレート４、ロックプレート５とベースプレート６がベースプレート固定ビス１８によってロックプレート５が回転できるように取付けられ、モータ７、ウオームギア８とウオームホイール９、ロックレバー１０、ロックレバースプリング１１、ギアリターンスプリング１２、ロック解除スプリング１３、ギアケース１４がモジュールカバー１６に収容するようにモジュールカバー止めビス１７によってモジュールベース１５に取付けられ、モジュールベース取付けビス２０によって、ベースプレート６に取付けられている。
【００２８】
これら部品が、ロックユニット固定ビス１９によって室内側から挿した丸座２４を介して取付けられている。更に、解除レバー２の先端がユニットカバー３の滑動開口にセットされて、その解除レバー２の先端アームＨがギアケース１４の穴Ｊに挿入されている。
【００２９】
続いて、実施例の機能を説明する。まず最初に、１）ロックレバー１０の動作について：モータ７の回転がウオームギア８に伝達されて、ウオームギア８によりウオームホイール９に軸支されたロックレバースプリング１１が追従し、ロックレバースプリング１１のアーム先端部Ａにロックレバー１０のピン部Ｂが、根元部Ｃにウオームホイール９のピン部Ｄに挟まれた状態で支持されている。ウオームホイール９が正転逆転すると、ロックレバー１０が上下に動く。
【００３０】
図２は、ロックレバー１０が上方にある状態を示し、ウオームホイール９が反時計廻りに廻ると、ロックレバー１０が下降を始める。
【００３１】
図３は、ロックレバー１０が下方にある状態を示し、ウオームホイール９が時計廻りに廻ると、ロックレバー１０が上昇を始める。
【００３２】
２）レバーハンドルの回転を阻止及び解除する動作について：
ベースプレート６とサポートプレート４の間に挿入されているロックプレート５が中心の角穴Ｆにレバーハンドル２１の角芯Ｅが挿入され（図４）、ロックプレート５とレバーハンドル２１は一体となって約３５°の回転をする構造である。ベースプレート６の溝Ｇ１、サポートプレート４の溝Ｇ３にロックプレート５の溝Ｇ２が一致した状態のとき（図５）に、ロックレバー１０が降下する（図６）。
【００３３】
ロックレバー１０が降下した状態では、レバーハンドル２１を廻そうとしても、ロックレバー１０が阻止して、レバーハンドル２１は廻せない（図７）。反対にロックレバー１０が上昇する（図８）と、レバーハンドル２１の回転阻止が解除されて、レバーハンドル２１は廻すことができる（図９）。
【００３４】
３）人がレバーハンドル２１を作動途中で施錠信号を受けた場合の動作について：
上記１）の説明がロックレバー１０の基本動作であるけれども、施錠信号を受けたときに、人の手でレバーハンドル２１が操作中の場合（図１０）、ウオームホイール９が反時計廻りに回転し、ロックレバー１０を降下させようとするが、ロックプレート５の溝Ｇ２に入らない、そのために、ロックレバースプリング１１が開いて、ロックレバー１０のピン部Ｂとウオームホイール９のピン部Ｄの間、付勢力を持った状態となる（図１１）。
【００３５】
レバーハンドル２１を離すと、ロックプレート５の溝Ｇ２が上方に来るために、ロックレバー１０が入り込み、ロックプレート５の回転が阻止される（図１２）。
【００３６】
４）人が施錠状態のレバーハンドル２１に負荷を掛けたときに解錠信号を受けた場合の動作について：
ロックレバー１０は、ロックプレート５の溝Ｇ２、ベースプレート６の溝Ｇ１とサポートプレート４の溝Ｇ３に入り込んでいる（図５）ために、ロックプレート５を回転させることができない（図１３）。
【００３７】
ウオームホイール９が時計廻りに回転し、ロックレバー１０を上昇させようとするが、ロックレバー１０はロックプレート５とサポートプレート４、ベースプレート６に挟まれて、負荷Ｆを受けているために、ロックレバースプリング１１が開いて、ロックレバー１０のピン部Ｂとウオームホイール９のピン部Ｄの間、付勢力を持った状態となる（図１４）。
【００３８】
レバーハンドル２１に掛けた負荷Ｆを止めると、ロックレバー１０は上方に回避して、施錠状態を解除する（図１５）。
【００３９】
５）施錠状態（レバーハンドル回転阻止状態）を室内側より解除する動作について：
図１６は、レバーハンドルロック構造（図１）における、サポートプレート４、ロックプレート５、ベースプレート６を除く、ロックレバー１０より上部の構成の右側面図（一部断面）を示す。
【００４０】
図１７も、同じく、レバーハンドルロック構造（図１）におけるロックレバー１０より上部の構成を示し、解除レバー２が下降した状態を示す。
【００４１】
解除レバー２は、ユニットカバー３の表面で上下にスライドするように組み込まれていて、その先端アーム部Ｈがギアケース１４の穴Ｊに挿入されており、解除レバー２を下方向にスライドさせる（Ｋ）と、ギアケース１４が追従する（Ｌ）ように構成されている。
【００４２】
以下に、解除レバー２のスライド操作に伴う各部の動作を説明する。
【００４３】
図１８は、上記１）の「ロックレバー１０の動作」の図３の状態で、ロックレバー１０が降下した状態を示す。
【００４４】
このロックレバー１０の降下した状態では、モータ７を逆回転させなければ、ロックレバー１０が上昇して、解錠状態にならないけれども、上記５）に述べた、解除レバー２の下方向へのスライドによりギアケース１４を下方向へスライドさせると、ウオームギア８とウオームホイール９の噛合い（Ｍ）が外れた状態となる（図１９）。
【００４５】
この外れた状態では、ギアリターンスプリング１２のリターン力によりウオームホイール９が時計廻りに回転し、ロックレバー１０は、上昇して、解錠状態になる（図２０）。
【００４６】
解除レバー２の操作を止めると、ロック解除スプリング１３のリターン力によりギアケース１４が上方向へ戻され、ウオームギア８にウオームホイール９が噛合い、ロックレバー１０を下降するための待機状態となる（図２１）。
【００４７】
上記の動作を果たすために使用スプリングは以下の関係でなければならない。
【００４８】
ａ）スプリング力の強さの関係は、ロックレバースプリング１１＜ギアリターンスプリング１２＜ロック解除スプリング１３である。
【００４９】
ｂ）ロック解除スプリング１３は、モータ出力（ウオームギア８のトルク）とウオームホイール９の伝達トルクより強い押付力を要す。
【００５０】
ｃ）ロックレバースプリング１１は、ロックレバー１０の自重と動作抵抗（摩擦力）よりトルクを要す。
【００５１】
図２２は、レバーハンドルロックアッセンブリを扉に取付けた状態を示す斜視図であって、扉２３に取付けたレバーハンドルロックアッセンブリの外観構造である。
【００５２】
図２３は、その斜視図の正面図と側面図である。サポートプレート４からモジュールベース取付けビス２０までの構成部品を組付け、丸座２４の引足にロックユニット固定ビス１９によって取付ける。
【００５３】
解除レバー２を付けたユニットカバー３をその上から被せ、レバーブッシュ１を付けたレバーハンドル２５（室内側）を角芯Ｅに挿し、レバーハンドル固定ビス２６によって固定する。
【００５４】
図２４は、読取装置２９を扉２３に設置した状態を示す扉端の正面図と斜視図である。読取装置２９は、モータ電源ケーブル３０を介してレバーハンドルロックユニットのユニットカバー３から突き出すフック３１に取付けられ、扉２３に接するように設置され、扉２３の外側から扉２３を叩いたときに、読取装置２９が振動し、起動スイッチが入り、動作待機状態となる。
【００５５】
図２５は、モータ電源コネクタ３２がレバーハンドルロックユニットのユニットカバー３に取付けた状態を示す正面透過図と右側面透過図である。
【００５６】
信号が受信されると、ロック装置のモジュールカバー１６に内蔵するモータ７が駆動されて、施錠解錠動作状態となる。
【符号の説明】
【００５７】
１．．．レバーブッシュ
２．．．解除レバー
３．．．ユニットカバー
４．．．サポートプレート
５．．．ロックプレート
６．．．ベースプレート
７．．．モータ
８．．．ウオームギア
９．．．ウオームホイール
１０．．．ロックレバー
１１．．．ロックレバースプリング
１２．．．ギアリターンスプリング
１３．．．ロック解除スプリング
１４．．．ギアケース
１５．．．モジュールベース
１６．．．モジュールカバー
１７．．．モジュールカバー止めビス
１８．．．ベースプレート固定ビス
１９．．．ロックユニット固定ビス
２０．．．モジュールベース取付けビス
２１．．．レバーハンドル（室外側）
２２．．．錠ケース
２３．．．扉
２４．．．丸座
２５．．．レバーハンドル（室内側）
２６．．．レバーハンドル固定ビス
２７．．．サムターン
２８．．．丸座引足
２９．．．読取装置
３０．．．モータ電源ケーブル
３１．．．フック
３２．．．モータ電源コネクタ
Ａ．．．ロックレバースプリングのアーム先端部
Ｂ．．．ロックレバーのピン部
Ｃ．．．根元部
Ｄ．．．ウオームホイールのピン部
Ｅ．．．レバーハンドルの角芯
Ｆ．．．ロックプレートの中心の角穴
Ｇ１．．．ベースプレートの溝
Ｇ２．．．ロックプレートの溝
Ｇ３．．．サポートプレートの溝
Ｈ．．．解除レバーの先端アーム
Ｊ．．．ギアケースの穴
Ｋ．．．スライド方向
Ｌ．．．追従方向
Ｍ．．．噛合い
【図１】
2018111941.tif 000003
【図２】
2018111941.tif 000004
【図３】
2018111941.tif 000005
【図４】
2018111941.tif 000006
【図５】
2018111941.tif 000007
【図６】
2018111941.tif 000008
【図７】
2018111941.tif 000009
【図８】
2018111941.tif 000010
【図９】
2018111941.tif 000011
【図１０】
2018111941.tif 000012
【図１１】
2018111941.tif 000013
【図１２】
2018111941.tif 000014
【図１３】
2018111941.tif 000015
【図１４】
2018111941.tif 000016
【図１５】
2018111941.tif 000017
【図１６】
2018111941.tif 000018
【図１７】
2018111941.tif 000019
【図１８】
2018111941.tif 000020
【図１９】
2018111941.tif 000021
【図２０】
2018111941.tif 000022
【図２１】
2018111941.tif 000023
【図２２】
2018111941.tif 000024
【図２３】
2018111941.tif 000025
【図２４】
2018111941.tif 000026
【図２５】
2018111941.tif 000027